(57)【特許請求の範囲】
【請求項１】
シートを車体フレームにシート底板が露出できるように取付け、前記底板の下面に車体の前後方向に延びる状態で下方へ向けて突設した複数の平行な補強部の側方に、盗難防止用Ｕ字状ロックのＵ字状棒体を前記補強部によって側方から挟まれかつ側面視においてこの補強部と重なる状態で収納可能としたことを特徴とする自動二輪車の盗難防止用Ｕ字状ロックの収納構造。
【発明の詳細な説明】
【０００１】
【発明の属する技術分野】
本発明は、盗難防止用Ｕ字状ロックをシートの下方に収納する自動二輪車の盗難防止用Ｕ字状ロックの収納構造に関するものである。
【０００２】
【従来の技術】
従来、自動二輪車の盗難を防止する装置としては、自動二輪車に設けたハンドルロックの他に、車輪の回転を阻止するために車輪に掛け止めたり、車輪や車体の一部を建築物などの不動物に連結させるＵ字状ロックがある。このＵ字状ロックは、南京錠を自動二輪車用に拡大した構造を採っており、Ｕ字状に形成した金属製棒体と、この棒体にこれを貫通させた状態で固定するロック本体とから構成している。
【０００３】
そして、この種のＵ字状ロックは、使用しないとき（走行時）には荷台に搭載しくくり付けている。
【０００４】
【発明が解決しようとする課題】
しかるに、荷台にＵ字状ロックをくくり付けると、他の荷物を載せるスペースが狭くなってしまうし、Ｕ字状ロックが荷台から大きく張り出してしまう。
このような不具合を解消するために、発明者はＵ字状ロックをシートとリヤフェンダーとの間のスペースに収納することを考えた。
【０００５】
しかしながら、シートの底板の下面とこの下方のリヤフェンダーの上面との間にＵ字状ロックを収納すると、このスペースにおける他の携帯品などの収納容積がＵ字状ロック分だけ減ってしまうという新たな問題が生じる。なお、前記収納容積が減らないようにすると、シートの着座面が高くなってしまう。
【０００６】
本発明はこのような問題点を解消するためになされたもので、シート下方の収納容積が減少したりシートの着座面が高くなることなくシートの下方のスペースにＵ字状ロックを収納できるようにすることを目的とする。
【０００７】
【課題を解決するための手段】
本発明に係る自動二輪車の盗難防止用Ｕ字状ロックの収納構造は、シートを車体フレームにシート底板が露出できるように取付け、前記底板の下面に車体の前後方向に延びる状態で下方へ向けて突設した複数の平行な補強部の側方に、Ｕ字状ロックのＵ字状棒体を前記補強部によって側方から挟まれかつ側面視においてこの補強部と重なる状態で収納可能としたものである。
【０００８】
したがって、シート底板に設ける補強部の側方の空間がＵ字状棒体の収納空間になるから、シート底板の下面とこの下方のリヤフェンダーとの隙間における収納容積を確保できる。
【０００９】
【発明の実施の形態】
以下、本発明の実施の形態の一例を図１ないし図３によって詳細に説明する。図１は本発明に係るＵ字状ロックの収納構造を採用した自動二輪車の後部を示す側面図、図２はシート底板の底面図で、同図はＵ字状棒体を収納した状態で描いてある。図３は要部の断面図で、同図（ａ）は図２におけるＡ−Ａ線断面図、同図（ｂ）は図２におけるＢ−Ｂ線断面図である。
【００１０】
これらの図において、１は自動二輪車のシート、２はリヤカウリング、３はリヤフェンダーを示す。前記シート１は、後述するシート底板４（図２）の上側にクッション材（図示せず）およびこれを被覆する表皮５を設けることによって構成し、シート底板４が露出できるようにシートステー６に対して着脱自在に取り付けている。また、前記リヤカウリング２は、シート１を車体から取り外した状態ではリヤフェンダー３の上面が露出するように構成している。
【００１１】
前記シート１を車体に着脱自在に取り付けるに当たっては、シート底板４の車体前側の端部に図２に示すように設けた係止爪７を車体フレーム（図示せず）に着脱自在に係止させるとともに、シート底板４の車体後側の端部に回動自在に設けたフック８をシートステー６側のシートロック用ステー（図示せず）に係止させている。
【００１２】
前記フック８は、図２に示すように、シート底板４に枢支させたロッド９の両端部にそれぞれ固着している。このロッド９は、図示してないばねによって前記フック８が支持ブラケットに係合する方向へ回動するように付勢されている。また、このロッド９には、シート１を車体から取り外すときに前記フック８の係合状態が解除される方向へこのロッド９を回すためのシートロック解除用ロッド１０を連結している。このシートロック解除用ロッド１０は、シート底板４に移動自在に支持させ、ロッド９とは反対側の先端にシートロック装置１１（図１）を連結している。このシートロック装置１１は、キー（図示せず）を挿入するキーシリンダ１１ａを備え、キー操作により前記シートロック解除用ロッド１０を解除方向へ駆動するように構成している。
【００１３】
シート底板４は、合成樹脂によって形成し、図２に示すように、平板状部分４ａに後述する補強体１２〜１４を一体に設け、上述したロッド９およびシートロック解除用ロッド１０の他に、ゴム製支承体１５を複数取り付けている。このゴム製支承体１５は、シートステー６に設けたシート支持ブラケット（図示せず）に当接するように構成している。
【００１４】
前記補強体１２〜１４は、図３（ｂ）に示すように、シート底板４の平板状部分４ａの一部を上方へ向けて開口する断面コ字状に一体に成形することによって、前記平板状部分４ａより下方に突出するように形成し、曲げ方向の強度を強化している。補強体１２，１４はシート底板４における車体の左右方向の両側部に配設し、補強体１３は車体の左右方向の中央部に配設している。そして、これらの補強体１２〜１４は、車体前側の端部で互いに連なるとともに、中途部において連結部１６を介して互いに連なるように形成している。
【００１５】
前記両側部に配設した補強体１２，１４は、車体後側の端部に中央部の補強体１３側へ延在して車体の前後方向に延びる延在部１２ａ，１４ａを一体に設けている。
前記中央部に配設した補強体１３は、車体後側の半部を平面視において略ロ字状に形成し、このロ字状部分における車体の前後方向に延びる一対の前後方向延在部１３ａ，１３ｂと、前記両側部に配設した補強体１２，１４の延在部１２ａ，１４ａとの間に予め定めた寸法の隙間Ｇ｛図３（ｂ）｝が形成されるように構成している。
【００１６】
前記隙間Ｇが形成される部位に、図２および図３（ｂ）に示すように、Ｕ字状ロックのＵ字状棒体１７を収納できるようにしている。このＵ字状棒体１７は、従来周知のＵ字状ロックに用いるものと同等の構造を採っており、Ｕ字状の開放側となる先端を車体の前方へ指向させるとともに２箇所の直線状部分を前記隙間Ｇ内に収納した状態でシート底板４に着脱自在に装着されている。
【００１７】
Ｕ字状棒体１７をシート底板４に着脱自在に装着するに当たっては、シート底板４に取り付けた２本のゴムバンド１８によって前記直線状部分を保持するとともに、前記中央部の補強体１３における車体後側の端部に図３（ａ）に示すように突設した支承片１９に屈曲部を支承させている。前記ゴムバンド１８は、ゴム製バンド本体１８ａの一端をシート底板４に固定金具１８ｂを介してねじ止めし、他端を係止金具１８ｃによってシート底板４に容易に係脱可能なように係止する構成を採っている。
【００１８】
すなわち、このシート１は、補強部１２〜１４の側方に、Ｕ字状棒体１７を側面視において前記補強部１２〜１４と重ねた状態で収納できるように構成している。
【００１９】
前記Ｕ字状棒体１７とともにＵ字状ロックを構成するロック本体は、図１中に符号２０で示すように、リヤフェンダー３の上面に図示してないゴムバンドによって着脱自在に取り付けられている。
【００２０】
このように構成したＵ字状ロックの収納構造によれば、シート１を車体から取り外してシート底板４を露出させることによって、Ｕ字状ロックをシート１に収納したり、取り外したりすることができる。Ｕ字状棒体１７を図３（ｂ）に示した収納状態から取り外すには、ゴムバンド１８の係止金具１８ｃをシート底板４から外すとともに、Ｕ字状棒体１７をシート１から車体の後方へ引き出して行う。
【００２１】
また、Ｕ字状棒体１７をシート１に収納するには、先ず、Ｕ字状棒体１７の直線状部分を、シート底板４に横架したロッド９とシート底板４との間を通して前記隙間Ｇ内に車体の後方から挿入し、このＵ字状棒体１７の屈曲部を補強体１３の前記支承片１９に係合させる。その後、ゴムバンド１８によってＵ字状棒体１７をシート底板４に固定する。これによりＵ字状棒体１７をシート１に収納することができる。
なお、Ｕ字状ロックのロック本体２０は、上述したようにシート１を車体から取外してリヤフェンダー３の上面を露出させた状態で、リヤフェンダー３に対して着脱する。
【００２２】
したがって、この自動二輪車の盗難防止用Ｕ字状ロックの収納構造によれば、シート底板４に設ける補強体１２〜１４の側方の従来デッドスペースであった空間がＵ字状棒体１７の収納空間になるから、シート１とリヤフェンダー３との間にＵ字状棒体１７を収納するに当たって、シート底板４の下面（補強体１２〜１４の突出端面）とリヤフェンダー３との隙間における収納容積を確保できる。
【００２３】
また、シート１は乗員が２名乗車できるいわゆるダブルシートであり、車体の前後方向に長く形成しているので、シート底板４の曲げ剛性を高めるために設ける補強体１２〜１４も主に車体の前後方向に延びる形状になる。すなわち、Ｕ字状棒体１７をその長手方向が車体の前後方向となるように収納するに当たって、前記空間（従来はデッドスペースであった空間）が都合よい形状になっている。
【００２４】
なお、上述したＵ字状ロックの収納構造は、Ｕ字状棒体１７をゴムバンド１８によってシート底板４に保持させる形態を採っているが、Ｕ字状棒体１７を保持する手法は適宜変更できる。例えば、シート底板４にＵ字状棒体係止用フックを一体に設け、このフックにＵ字状棒体１７を車体後側から差し込む形態を採ることもできる。
【００２５】
【発明の効果】
以上説明したように本発明に係る自動二輪車の盗難防止用Ｕ字状ロックの収納構造は、シートを車体フレームにシート底板が露出できるように取付け、前記底板の下面に車体の前後方向に延びる状態で下方へ向けて突設した複数の平行な補強部の側方に、Ｕ字状ロックのＵ字状棒体を前記補強部によって側方から挟まれかつ側面視においてこの補強部と重なる状態で収納可能としたため、シート底板に設ける補強部の側方の空間をＵ字状棒体の収納空間として使用できるから、シート底板の下面とこの下方のリヤフェンダーとの隙間における収納容積を確保できる。
【００２６】
したがって、シート下方の収納容積が減少したりシートの着座面が高くなることなくシートの下方にＵ字状棒体を収納できる。このため、Ｕ字状ロックを使用しないときには、荷台の荷物搭載スペースが狭められたり、Ｕ字状棒体が荷台から大きく張り出したりすることなく、Ｕ字状棒体を自動二輪車の車体に収納できる。
【図面の簡単な説明】
【図１】  本発明に係るＵ字状ロックの収納構造を採用した自動二輪車の後部を示す側面図である。
【図２】  シート底板の底面図である。
【図３】  本発明に係るＵ字状ロックの収納構造の要部の断面図で、同図（ａ）は図２におけるＡ−Ａ線断面図、同図（ｂ）は図２におけるＢ−Ｂ線断面図である。
【符号の説明】
１…シート、３…リヤフェンダー、４…シート底板、６…シートステー、１２〜１４…補強体、１７…Ｕ字状棒体、１８…ゴムバンド、２０…ロック本体。
【図１】
0003636804.tif 000002
【図２】
0003636804.tif 000003
【図３】
0003636804.tif 000004